Podtech/llm-jp-corpus-v4-ja_patent huggingface dataset:
(57)【要約】【課題】  黒板拭きのチョ−ク粉末を周囲に飛散させずに黒板拭きを簡便且つ迅速に掃除をすることが可能となる黒板拭きの掃除具の提供。【解決手段】  黒板拭きを一定の容器内に入れ、ハンドルの回転によって複数個の叩棒が時間差をつけて上下動し、スプリングの力で黒板拭きの面を力強く叩き、容器内に叩き出されたチョ−ク粉末を吸引器で所定箇所に吸引収集するようにした。【選択図】図１
2009006688.tif 000002
【特許請求の範囲】
【請求項１】
黒板拭きの格納部２を有する台盤１と、複数個の通気孔３を穿設してなる蓋体４と、吸引口５を付設してなる台盤１の側壁１ａに固定した支軸６に回動可能に軸装され且つスプリング７によって下方に牽引されている複数個の叩棒８と、手動ハンドル９によって回転し、軸上には螺旋状に配置されている複数個のカム１０を突設してなる回転軸１１とからなり、ハンドル９の回転によって回転軸１１が回転し、カム１０が叩棒８を立上げてスプリング７の力で黒板拭きの面を若干時間差をつけて叩き、この叩き出したチョ−ク粉末を吸引器で所定箇所に収集するようにした黒板拭きの掃除具。
【発明の詳細な説明】
【技術分野】
【０００１】  本発明は、黒板拭きに付着しているチョ−クの粉末を吸引するようになる黒板拭きの掃除具に関するものである。
【背景技術】
【０００２】  黒板拭き付着しているチョ−ク粉末等は、黒板拭きを棒等で叩いて除去するようにしており、これを機械的に除去する器具等は全く存在しない。
【発明の開示】
【発明が解決しようとする課題】
【０００３】  黒板拭きを棒等で叩いてチョ−ク粉末を除去するようにすると、チョ−ク粉末が教室内等に飛散し、周囲を汚すばかりでなく、健康的にも問題がある。
本発明は、前記従来の欠点を一掃し、チョ−ク粉末の飛散を防止し、これを一定の箇所に吸引収集するようになる黒板拭きの掃除具を提供することを目的としたものである。
【課題を解決するための手段】
【０００４】  本発明は、前記の目的を達成する手段として、黒板拭きの格納部２を有する台盤１と、複数個の通気孔３を穿設けしてなる蓋体４と、吸引口５を付設してなる台盤１の側壁１ａに固定した支軸６回動可能に軸装され且つスプリング７によって下方に牽引されている複数個の叩棒８と、手動ハンドルによって回転し、軸上には螺旋状に配置されている複数個のカム１０を突設してなる回転軸１１とからなり、ハンドル９の回転よって回転軸１１を回転し、カム１０が叩棒８を立上げてスプリング７の力で黒板拭きの面を若干時間差をつけて叩き、この叩き出したチョ−ク粉末を吸引器で所定箇所に収集するようにした。
【発明の効果】
【０００５】  本発明は、黒板拭きを一定の容器内に入れて叩棒５でチョ−ク粉末を叩き出しこのチョ−ク粉末を吸引器で所定箇所に収集するようになるもので、チョ−ク粉末を室内に飛散させずに黒板拭きの掃除を簡便且つ迅速に遂行し得る利点を有するものである。
【発明を実施するための最良の形態】
【０００６】  本発明の具体的な構成を図に基づいて説明すると、台盤１は、底面から黒板拭きＡを入れるようになる黒板拭きの格納部２を有し、両側に設けた側壁１ａの一方の側壁に吸引口５を付設してある。【０００７】  前記台盤１の側壁１ａには支軸６と、ハンドル９によって回転する回転軸１１が横架されており、そして、支軸６上には４個の叩棒８が等間隔に回動可能に装嵌され、叩棒８の先端には叩棒を下方に強く牽引するスプリング７が張設され、該叩棒８の基方部に扁平部８ａが形成されている。【０００８】  前記回転軸１１上には、前記叩棒８の配列間隔に対応した間隔で螺旋状に複数個のカム１０が突設されており、このカム１０が前記叩棒８の扁平部に接して叩棒を立上げてカム１０の接触が解除したとき前記スプリング７の力で黒板拭きＡの面を強く叩き、チョ−ク粉末を叩き出し、そして、カム１０は、螺旋状に配置されているため４個の叩棒８は夫々時間差をつけて黒板拭きＡを叩くようになるものである。【０００９】前記台盤１には、透明のプラスチック等からなる着脱可能な蓋体４があり、この蓋体４に複数個の通気孔３を穿設してあり、吸引口５に装着した吸引器によってチョ−ク粉末の吸引を可能にしている。尚、図中１２は、黒板拭きＡの格納部の蓋体である。
【図面の簡単な説明】
【００１０】
【図１】  本発明に係る黒板拭きの掃除具の斜視図
【図２】  同平面図
【図３】  叩棒の動きを示す断面図
【符号の説明】
１  台盤
２  格納部
３  通気孔
４  蓋体
５  吸引口
６  支軸
７  スプリング
８  叩棒
９  ハンドル
１０  カム
１１  回転軸
【図１】
2009006688.tif 000003
【図２】
2009006688.tif 000004
【図２】
2009006688.tif 000005
【手続補正書】
【提出日】平成19年12月7日(2007.12.7)
【手続補正１】
【補正対象書類名】図面
【補正対象項目名】全図
【補正方法】変更
【補正の内容】
【図１】
2009006688.tif 000006
【図２】
2009006688.tif 000007
【図３】
2009006688.tif 000008
(57)【要約】【課題】鍋で食材を茹で上げた後、湯切りをするため、別に備えたざるに移し、更にそのざるを他のボール等に移し、何度も水洗い、そして水切りする。その作業工程での手間が解消されること。【解決手段】鍋（４）に予めざる（１）をセットしたところに直接食材を入れ調理、その作業工程は、鍋内のざるにある食材が茹で上がったら、鍋を傾けて湯を捨て、湯切りをした後、そのまま鍋に水を注ぎ、水洗い、水切り等で数回の作業工程を省くこととした。【選択図】図４
2009006094.tif 000002
【特許請求の範囲】
【請求項１】
ざる（１）自体を持ち運びできる取っ手（２）と、その取っ手丸棒を支える二箇所の固定金具（３）も設ける。さらに、鍋（４）に、ざる（１）を支える二箇所のＵ字型の固定金具（５）を設け、鍋にセットされたざるがブランコ式に動き回転、かつ取り外し可能とした、ざる付き鍋器具。
【請求項２】
鍋（４）自体のＵ字型固定金具（５）は、ざるを自由に取り外せる縦溝及びざるが外れることなく回転できる丸穴溝を設けた金具装置。
【請求項３】
鍋（４）にセットされたざる（１）は、鍋に接触することなく回転、動くこととし、かつ鍋（４）だけを傾けるとざる（１）が水平のまま維持することとした、取っ手丸棒（２）及びＵ字型固定金具（５）装置。
【発明の詳細な説明】
【技術分野】
【０００１】本発明は、鍋（４）にざる（１）を支える固定金具（５）を設け、ざるには、ざる自体を持ち運びできる取っ手丸棒（２）を設けたざる付き鍋器具に関するものである。
【背景技術】
【０００２】従来からざる付き鍋器具はない。よって、調理作業工程での煩わしさや手間が余儀なくされていた。
【発明の開示】
【発明が解決しょうとする課題】
【０００３】従来からざる付き鍋器具がなかったので、鍋で食材を茹で上げた後、湯切りをするため別に備えたざるに移し、更にそのざるを他のボール等に入れ、水洗いするのが一般的な調理作業工程であり、その工程は煩わしさや手間がかかり問題点が多々あった。
【課題が解決するための手段】
【０００４】本発明は、ざる（１）自体を持ち運びできる取っ手（２）と、その取っ手丸棒を支える二箇所の固定金具（３）を設け、更に鍋（４）にざる（１）を支える二箇所のＵ字型固定金具（５）を設けた。鍋にセットされるざるがブランコ式に回転、動き、かつ取り外し可能なざる付き鍋器具とした。
【発明の効果】
【０００５】本発明は、鍋に予めざるをセットされたところに直接食材を入れ調理、その作業工程は、鍋内のざるにある食材が茹で上がったら、鍋を傾けて湯を捨て、湯切りをした後、直ちに食材入りざるの鍋に水を注ぎ水洗い、水切りができる等、作業工程の煩わしさや手間が省略できる。
【発明を実施するための最良の形態】
【０００６】本発明のざる付き鍋器具は、鍋（４）にざる（１）を支えるＵ字型固定金具（５）を設け、ざる（１）には、ざる自体を持ち運びできる取っ手丸棒（２）を設けた。そのざる（１）は、鍋内でブランコ式で動き、鍋（４）自体を傾ければ、ざるが回転平行に維持し、鍋内での湯切り等ができる。
【実施例】
【０００７】実施例について図面を参照して説明すると、［図４］、［図６］において、鍋で食材を茹で上げ調理作業のため、本ざる付き鍋器具を使用する場合、鍋に予めセットされたざるに食材を入れ、茹で上がったら、鍋を傾けて湯切りをし、その鍋に直接水を注ぎ水洗いし、再び鍋を傾けて水切りし、同器具が実施される。
【産業上の利用可能性】
【０００８】本発明の産業上の利用可能性は自明なので省略する。
【図面の簡単な説明】
【０００９】
【図１】本発明の正面図である。
【図２】本発明の平面図である。
【図３】本発明の鍋の蓋を閉じた状態を示す参考斜視図である。
【図４】本発明の鍋の蓋を開けた状態を示す参考斜視図である。
【図５】本発明のざるの部分を示す拡大図及び鍋側で支える金具部分を示す拡大図の参考斜視図である。
【図６】本発明の使用状態を示す参考斜視図である。
【符号の説明】
【００１０】１、  ざる
２、  取っ手丸棒
３、  取っ手支え固定金具
４、  鍋
５、  ざる支えＵ字型固定金具
【図１】
2009006094.tif 000003
【図２】
2009006094.tif 000004
【図３】
2009006094.tif 000005
【図４】
2009006094.tif 000006
【図５】
2009006094.tif 000007
【図６】
2009006094.tif 000008
(57)【要約】【課題】おしゃれで携帯性のある複数回用の薬持ち運び用具を提供する。【解決手段】（イ）開閉自在でジッパー（登録商標）つきの透明な袋を複数枚設ける。（ロ）綴じるための穴を中が出ないよう蒸着させて設ける。（ハ）おしゃれでプライバシーが守れるものが作れるよう表紙、裏表紙をもうける。（ニ）ばらけないよう留め具を設ける。  以上のように構成された薬持ち運び用具。【選択図】図１
2009006099.tif 000002
【特許請求の範囲】
【請求項１】
（イ）開閉自在で、ジッパー（登録商標）つきの透明な袋を複数枚設ける。
（ロ）綴じるための穴を中が出ないよう蒸着させて設ける。
（ハ）おしゃれでプライバシーを守れるものが作れるよう表紙、裏表紙を設ける。
（ニ）ばらけないよう留め具を設ける。
以上のように構成された薬持ち運び用具。
【発明の詳細な説明】
【技術分野】
【０００１】  本発明は、リングを通すための、穴の部内から内容物が飛び出ないように蒸着されている穴とよりなる複数枚の開閉自在でジッパー（登録商標）つきの透明な袋と、開閉式リングと、表紙と裏表紙と、留め具とよりなる薬持ち運び用具で、複数回数分の薬を入れられ、飲むタイミングを判別しやすく、おしゃれで、プライバシーを守る効果があり、かさばりにくい、薬持ち運び用具に関するものである。
【背景技術】
【０００２】  従来、薬局でもらう薬の袋があった。
ピルケースがあった。
ビニールがあった。
開閉自在の透明な袋があった。
携帯用ではない薬のケースがあった。
携帯用物入れがあった。
携帯薬入れがあった。
薬袋があった。
薬入れがあった。
【発明の開示】
【発明が解決しようとする課題】
【０００３】  そのために、次のような欠点があった。
分別管理ができなかった。
複数回分の利用には不便だった。
分別すると必要以上にかさばった。
携帯できなかった。
おしゃれではなかった。
プライバシーを守りにくかった。
【課題を解決するための手段】
【０００４】（イ）開閉自在で、ジッパー（登録商標）つきの透明な袋を複数枚設ける。
（ロ）綴じるための穴を中が出ないよう蒸着させて設ける。
（ハ）おしゃれでプライバシーを守れるものが作れるよう表紙、裏表紙を設ける。
（ニ）ばらけないよう留め具を設ける。
以上のように構成された薬持ち運び用具。
【発明の効果】
【０００５】  携帯しやすい。
おしゃれでプライバシーを守れるものがつくれる。
袋の表面から中の薬を確認できる。
分別していれるので、飲むべきものがわかりやすい。
複数回分いれられる。
透明な袋は開閉自在で、ジッパー（登録商標）つきで、穴は蒸着されているので、中身がとびださない。
開閉自在で、ジッパー（登録商標）つきの袋のため中身をとりだしやすい。
留め具があるためばらけない。また、さまざまな厚みに対応できる。
開閉式リングがあるため調べやすい。
【発明を実施するための最良の形態】
【０００６】  以下、本発明の第一実施の形態について説明する。
（イ）開閉自在で、ジッパー（登録商標）つきの透明な袋を複数枚設ける。
（ロ）綴じるための穴を中が出ないよう蒸着させて設ける。
（ハ）おしゃれでプライバシーを守れるものが作れるよう表紙、裏表紙を設ける。
（ニ）ばらけないよう留め具を設ける。
以上のように構成された薬持ち運び用具。
本発明は直径約３ｃｍほどの開閉式リングにより約５．５ｃｍ×約１０ｃｍの表紙と開閉自在で、ジッパー（登録商標）つきの透明な袋と、裏表紙を綴じる。
表紙、袋、裏表紙は紙やＰＰシートなどの材質で、片方の短辺の中央約１ｃｍ位内側にリングの綴じ穴があいている。
裏表紙の綴じ穴と逆の短辺の約１ｃｍ位内側に２箇所、長辺から約１．５ｃｍ位のところに留め具の取り付け穴が開いている。
留め具は約４ｍｍの平ゴムで二箇所の穴に約１０ｃｍ位用いる。穴に通して裏で留める。
透明の袋の綴じ穴は蒸着されている。
開閉自在でジッパー（登録商標）つきの透明な袋は同じ向き（右利き用の場合、表紙を正面に見、リングを上にしたときに袋の開閉部が右側）に綴じられている。
分別用のシールがついており、貼ることによって見分ける。
これを使用する時は、薬を分別し、袋にいれ、留め具を留めて携帯する。
薬を飲む時は、留め具をはずし、目的の日時の袋を調べ、使う。
【図面の簡単な説明】
【０００７】
【図１】  本発明の表紙を開いた使用例の斜視図
【図２】  本発明の表紙の平面図
【図３】  本発明の開閉自在でジッパー（登録商標）つきの透明な袋の平面図
【図４】  本発明の裏表紙の平面図
【図５】  本発明の裏表紙の留め具取り付けの際の斜視図
【図６】  本発明の斜視図
【符号の説明】
【０００８】１    表紙
２    開閉式リング
３    開閉自在でジッパー（登録商標）つきの透明な袋
４    綴じ具
５    裏表紙
６    留め具
７    留め具の取り付け穴
８    開閉部
【図１】
2009006099.tif 000003
【図２】
2009006099.tif 000004
【図３】
2009006099.tif 000005
【図４】
2009006099.tif 000006
【図５】
2009006099.tif 000007
【図６】
2009006099.tif 000008
(57)【要約】【課題】ナンバープレートに形成された空気孔とフロントバンパーに形成された開口部により、効果的に車両の外部の空気をエンジンルーム内に取り入れることができる空気孔のあるナンバープレートと車両用フロントバンパーを提供する。【解決手段】車両（図示せず。）前部に取り付けられるフロントバンパー４にナンバープレート１が取り付けられ、車両の外部の空気Ｂをエンジンルーム内へ取り入れるための空気孔３と開口部６が形成されていることを特徴とする。【選択図】図１
2009006849.tif 000002
【特許請求の範囲】
【請求項１】
ナンバープレートを車両に取り付けるためのナンバープレートの取付孔以外の部分に、空気孔が形成されていることを特徴とする空気孔のあるナンバープレート。
【請求項２】
ナンバープレートが取り付けられる車両用のフロントバンパーであって、取り付けられるナンバープレートの裏側に位置する前記フロントバンパー部にナンバープレートを取り付けるためのネジ孔を設けた取付支持部を備え、かつ、車両の外部の空気をエンジンルーム内へ取り入れるための開口部が形成されていることを特徴とする車両用フロントバンパー。
【発明の詳細な説明】
【技術分野】
【０００１】
本発明は、空気孔のあるナンバープレートと、ナンバープレートが取り付けられる車両用フロントバンパーに関する。
【背景技術】
【０００２】
ナンバープレートは、車両に取り付けられる金属製の板で、個別の車両を識別することが一般的におこなわれている。
【発明の開示】
【発明が解決しようとする課題】
【０００３】
本発明の目的は、車両の外部の空気を、ナンバープレートに形成された空気孔とフロントバンパーに形成された開口部により、効果的にエンジンルーム内に取り入れることができる空気孔のあるナンバープレートと車両用フロントバンパーを提供しようとすることにある。
【課題を解決するための手段】
【０００４】
このため、本発明に係る空気孔のあるナンバープレートにおいて、ナンバープレートを車両に取り付けるためのナンバープレートの取付孔以外の部分に前記車両の外部の空気を前記エンジンルーム内へ取り入れるための空気孔が形成されていることを特徴とする。
【０００５】
また、本発明に係る車両用フロントバンパーにおいて、ナンバープレートが取り付けられる車両用フロントバンパーであって、取り付けられるナンバープレートの裏側に位置する前記フロントバンパー部に前記ナンバープレートを取り付けるためのネジ孔を設けた取付支持部を備え、かつ、車両の外部の空気を前記エンジンルーム内へ取り入れるための開口部が形成されていることを特徴とする。
【発明の効果】
【０００６】
すなわち、前記空気孔のあるナンバープレートに形成された空気孔から取り入れられる前記車両の外部の空気は、前記車両用フロントバンパーに形成された開口部により効果的に前記エンジンルーム内へ導かれ、車両の前記エンジンルーム内や前記エンジンルーム内の冷却装置等を効率的に冷却することができる。
【発明を実施するための最良の形態】
【０００７】
以下図面によって本発明の実施例を詳細に説明する。
【０００８】
図１には、本発明に係る空気孔のあるナンバープレート１と車両用フロントバンパー４が模式的に示されている。
【０００９】
フロントバンパー４は、車両（図示せず。）の前部に取り付けられ、ナンバープレート１は、取付孔２と取付支持部５に設けられたネジ孔７にネジ（図示せず。）等を挿通してフロントバンパー４に取り付けられる。
【００１０】
ナンバープレート１を取り付けるための取付支持部５に設けられたネジ孔７の形成されている面取付支持部前面Ｄは、図３に示すように、フロントバンパー前面上部Ｃよりもエンジンルーム側へ向かって内側の位置に形成されている。
【００１１】
また、図３に示す取付支持部５に取り付けられた、ナンバープレート１の表面はフロントバンパー前面上部Ｃより前方に位置することなく取り付けられる。
【００１２】
フロントバンパー４には、図３に示すように、車両の外部の空気Ｂをエンジンルーム８内に取り入れるための開口部６が設けられている。開口部６は、ナンバープレート１の形状と同一形状でナンバープレート１よりも大きな略長方形形状に形成されている。このため、取付支持部５に取り付けられたナンバープレート１の全部は、前記略長方形形状の中に納まり取り付けられている。
【００１３】
ナンバープレート１には、図２に示すように、文字や記号や数字等と前記文字や記号や数字等を表示するための基礎となる平板部Ｅに車両の外部の空気Ｂをエンジンルーム８内に取り入れるための空気孔３が形成されている。
【００１４】
また、前記空気孔３は、前記文字や記号や数字等と前記平板部Ｅに形成されていたが、前記車両の外部の空気Ｂをエンジンルーム８内へ取り入れることができれば、例えば、数字の一部や平板部Ｅにのみ形成されていてもよく、本実施例に限定されるものではない。
【００１５】
前記空気孔３は、前記ナンバープレート１に表示されている前記文字や記号や数字等が認識可能な大きさおよび形状で形成されている。なお、空気孔３は、前記ナンバープレート１に表示されている前記文字や記号や数字等が認識可能な大きさおよび形状で形成され、かつ、車両の外部の空気Ｂをエンジンルーム８内へ取り入れることが可能な大きさおよび形状を有すればよく、本実施例に限定されるものではない。
【００１６】
本実施例の空気孔のあるナンバープレート１と車両用フロントナンバー４を取り付けた車両（図示せず。）では、空気孔３と開口部６が設けられていることにより、特に走行中には、車両の外部の空気Ｂの量を増加させエンジンルーム８内へ取り入れることができ、エンジンルーム８内やエンジンルーム８内の冷却装置（図示せず。）等を効率的に冷却することができる。
【００１７】
本実施例のフロントバンパー４では、開口部６をナンバープレート１の形状と同一形状でナンバープレート１よりも大きな略長方形形状に形成し、取付支持部５に取り付けられたナンバープレート１の全部が前記略長方形形状の中に納まり取り付けられているため、積極的に車両の外観を向上させることができる。
【図面の簡単な説明】
【００１８】
【図１】本発明に係るナンバープレート１とフロントバンパー４を模式的に示した斜視図である。
【図２】図１に示した１の正面図である。
【図３】図１に示したＡ−Ａ線に沿って得られた模式的な断面図である。
【符号の説明】
【００１９】
１  ナンバープレート
２  取付孔
３  空気孔
４  フロントバンパー
５  取付支持部
６  開口部
７  ネジ孔
８  エンジンルーム
Ｂ  車両の外部の空気
Ｃ  フロントバンパー前面上部
Ｄ  取付支持部前面
Ｅ  平板部
【図１】
2009006849.tif 000003
【図２】
2009006849.tif 000004
【図３】
2009006849.tif 000005
(57)【要約】      （修正有）【課題】合成の染毛料であるパラーフェニレンジアミン、アミノフェノール、フェニレンジアミン等を配合したものは、皮膚のかぶれの危険性が大きく問題であり天然原料の組み合わせで黒く染毛することが出来ること染毛剤を提供する。【解決手段】染料成分のローソンを含むヘンナを単純に純水と混ぜて用いるだけでは染毛性が上がらないので、酸性を持つ植物水である月桃水ならびに黄色成分であるアシタバエキスを用いて染毛性を向上させることを特徴とする化粧料。【選択図】なし【特許請求の範囲】
【請求項１】
ヘンナと月桃水およびアシタバエキスを用いることを特長とする化粧料。
【請求項２】
ヘンナと月桃水およびアシタバエキスを用いることを特長とする染毛剤。
【発明の詳細な説明】
【発明の詳細な説明】
【発明の属する技術の分野】
【０００１】Ｌａｗｓｏｎｉａ  ｉｎｅｒｍｉｓ（ＩＮＣＩ：ＨＥＮＮＡ）の乾燥粉末を以後ヘンナと呼ぶ。ヘンナ単独または他の植物粉末の混合粉末と水との使用が一般的である。しかし、これでは、白髪が思う様な髪色になりにくい。従って、これらに、パラーフェニレンジアミン、アミノフェノール、フェニレンジアミン等を配合して染毛性をあげているものがあるが、これは、皮膚のかぶれの危険性が大きく問題である。化粧品に用いられる植物染料はすでに多く知られ、ログウッドエキス、シコンエキス、ウコンエキス、葉緑素、クルミエキス、シコンエキス等々の組み合わせで行われている。しかし、白髪染めに満足するものは無い。
ヘンナの染色力はすでに公知の事実である。しかし、白髪への染毛性に関しては満足の得られるものが得られていない。合成の染毛料を併用せず、天然原料の組み合わせで黒く染毛することが出来ることは有意義なことである。
【背景技術】
【０００２】ヘンナにクエン酸、酢酸、リンゴ酸等の酸性化剤を添加することにより、染毛性が高まる事は知られている。しかし赤から赤褐色にはなるが、黒くはならない。
【発明が解決しようとする課題】
【０００３】ヘンナを単純に純水と混ぜて用いるだけでは、染毛性が上がらないので、混合する水の性質について検討を加えることは重要なファクターである。植物水の中で、酸性を持つものを探すことにより染毛性は向上する。各種植物水、エキス等の中から月桃水が有用であることにより、月桃水でも沖縄北部地方の赤土の酸性土壌で生育する月桃からの蒸留水を見出した。月桃水は、紫外線防止、頭皮、毛根に毛の成育を促進、黒髪化等々の効果が確認されている。
【０００４】より黒髪に近いものにするために黄色の染色成分の利用が重要である。
【課題を解決するための手段】
【０００５】ヘンナは、北アフリカ、中東、インド地方で乾燥粉末化されたものが使用されるが、品質が問題になることがある。不純物、有効成分の有無、細菌の有無等生産メーカーとの事前の十分な打ち合わせの上品質の確保されたものの選択が重要である。ヘンナに含まれる染料成分のローソンの含有量が特に重要で、少なくとも１％以上含有するものが必要である。
【０００６】アシタバエキスはエキスの採取法が異なるとエキス成分の含有量も異なるが、少なくともカルコンを０．０２％以上含有する紫外線に対する耐光性の優れたものであることが必要である。アシタバエキスは、紫外線照射により黄緑色の蛍光色を呈するクマリンもカルコンとほぼ同様に含有したものがより染色性に効果を挙げる。
【０００７】月桃は沖縄で生育する場所により花葉茎を蒸留して得られる月桃水のｐＨが異なる。北部地方の月桃から得られる蒸留水のｐＨは約４、南部地方の月桃から得られる蒸留水のｐＨは約６近辺である。従って、染色性に好ましい酸性を持つ月桃水北部地方のものを使用するのが好ましい。強酸性（ｐＨ３以下）の電気分解水と月桃水でｐＨを調整する事により染毛性を強化する方法が有効な手段である。
【０００８】最も簡便な方法としては、家庭で約５０部のヘンナを約４０〜５０℃に加温した月桃水とアシタバエキス約５０部に混合する。毛髪に塗布して３０分室温放置後、温かい水で十分洗い流す。タオル乾燥する。好ましくは、髪を温かいし湯で湿らした後、塗布し、上からフォイル又は暖かいタオルでカバーして、約６０分位放置後温かい湯で洗い流すのが好ましい。
【０００９】本発明が利用できる範囲は広く、粉末、液状、ペースト、固形状の各種染毛料に適用できる。シャンプー、リンス、トリートメント、コンディショナーにも適用される。
【００１０】本発明においてヘンナに各種ハーブを混合したものを使用することも特許請求範囲に外れるものではない。
【発明を実施するための最良の形態】
【実施例】
【００１１】試料の調製は４０から５０℃に加温した水系とヘンナの粉末を混合する。
【表−１】
2009263324.tif 000002
2009263324.tif 000003
【発明の効果】
（染色性）
【００１２】各試料を白髪の目立つ３０代から６０代の、モニター５名に、毛髪に３０分塗布、水洗乾燥する。夜シャンプーで洗髪する。これを５日間毎日繰り返す。染毛性を屋外で次の基準で評価した。
染色性評価法；弱い  ×、  やや良い  △、  良い  ○、  非常に良い  ◎
【表−２】
2009263324.tif 000004
染色性評価法；弱い  ×、  やや良い  △、  良い  ○、  非常に良い  ◎
（処理時間の効果）
【００１３】試料―５を白髪の目立つ４０代から７０代の、モニター５名に、ハーフ毛髪に３０分塗布と６０分塗布を行い、水洗乾燥する。夜シャンプーで洗髪する。これを５日間毎日繰り返す。染毛性を屋外で次の基準で評価した。
染色性評価法；弱い  ×、  やや良い  △、  良い  ○、  非常に良い  ◎
【表−３】
2009263324.tif 000005
（総合評価）
【００１４】表―３の評価の様に、ヘンナ、月桃水及びアシタバエキスの配合で優れた染毛剤が得られた。
(57)【要約】      （修正有）【課題】ガラス及びガラス製品への装飾材として従来利用が困難である漆を利用し、その後２次加工することで、美的で高級感あるガラス製品を提供する。【解決手段】ガラス製品の装飾方法は、ガラス４表面に漆２を塗り、乾燥後サンドブラストにより漆を削りとり模様２を形成すると同時に、サンドブラストしたガラス表面３に梨地の模様を形成することを特徴とする。また、ガラス製品の内側、すなわち視覚として認識する面の反対側にこの装飾を施すことに第２の特徴を有する。【選択図】図２
2009263151.tif 000002
【特許請求の範囲】
【請求項１】
ガラスの片面に漆を塗り乾燥させ、乾燥した漆の上からサンドブラストにて漆を削り取ることで模様を形成し、同時にサンドブラストしたガラス表面に梨地の模様を形成するガラスの装飾方法。
【請求項２】
グラスに代表される円筒状の食器の内側に漆を塗り乾燥させ、乾燥した漆の上からサンドブラストにて漆を削り取ることで模様を形成し、同時にサンドブラストしたガラス表面に梨地の模様を形成するガラスの装飾方法。
【発明の詳細な説明】
【技術分野】
【０００１】
本発明はガラス製品の表面処理による装飾方法に関する。
【背景技術】
【０００２】
従来より、ガラス製品で特にグラス等の表面装飾においては、ガラス表面の塗装、印刷、溶解したガラスを模様として貼り付ける、またはガラス内部に気泡を設ける等により装飾を行うことが一般的に行われている。
【０００３】
これまで、ガラスへの塗装や印刷の原料として漆を使用したものはあまり見当たらない。また特開平９−２５５３６７においては、ガラス表面をサンドブラストにより梨地加工し、その上に図柄を印刷して、更にその上に金属蒸着膜を形成する技術が公開されているが、漆を印刷材の原料としているものではない。
【特許文献１】特開平９−２５５３６７
【発明の開示】
【発明が解決しようとする課題】
【０００４】
解決しようとする課題は、ガラス及びガラス製品への装飾材として従来は利用が困難である漆を利用し、その後２次加工することで、美的で高級感あるガラス製品を提供することにある。
【課題を解決するための手段】
【０００５】
本発明のガラス製品の装飾方法は、ガラスの片側表面に漆を塗り、乾燥後サンドブラストにより漆を削りとり模様を形成すると同時に、サンドブラストしたガラス表面に梨地の模様を形成することを特徴とする。また、ガラス製品の内側、すなわち視覚として認識する面の反対側にこの装飾を施すことに第２の特徴を有する。
【発明の効果】
【０００６】
漆独特の光沢と色彩及びサンドブラストで表現された梨地の組合せが、装飾を施した面の反対側から見ることで、ガラス製品をより一層美的なものとすることができる。
【０００７】
サンドブラストにより、模様を構成する手段により、様々な模様のガラス製品を装飾することができる。また、グラス、おちょこ、湯呑、皿、器、茶碗等の食器類、板ガラスまたはガラス工芸品等様々なガラス製品に応用できる。
【発明を実施するための最良の形態】
【０００８】
詳細について実施例及び図面をもとに説明する。
【実施例１】
【０００９】
図１は完成したグラスの一例の斜視図である。グラスを例に説明すると、グラスの内側に漆を塗り乾燥させる。乾燥した漆の上に図柄となる模様を描く。漆としての模様部分を残し、サンドブラストにて漆を削り取り、同時にガラス表面に梨地の模様を形成する。
【００１０】
内側に漆を塗るのは、視覚で認識する側に表れる漆の光沢及び色彩と、サンドブラストにより形成される梨地模様が、ガラスを介してより一層際立ち、美的なガラス製品として仕上げるためである。グラス、おちょこまたは湯呑のように円筒状のガラス製品の場合は、内側にこの装飾を施すことで、装飾効果が得られる。
【００１１】
板ガラスの場合は、片面に前述の装飾を施し、皿や茶碗等内側が視覚方向であるものは、外側に装飾を施し、ガラス工芸品の場合は、サンドブラスト加工ができるように、内側へ空間のあるもの、または空間を設けて装飾を行う。
【産業上の利用可能性】
【００１２】
食器類や板ガラス、ガラス工芸品等様々なガラス製品に応用でき、工業製品として利用が可能である。
【図面の簡単な説明】
【００１３】
【図１】グラスに本発明の装飾を施した一例の斜視図
【図２】本発明の装飾を施したガラス製品の断面図
【符号の説明】
【００１４】
１  グラス
２  漆
３  サンドブラスト部
４  ガラス
【図１】
2009263151.tif 000003
【図２】
2009263151.tif 000004
(57)【要約】【課題】  長時間乳幼児を抱く時に、抱く側にも抱かれる側にもかかる身体の負担を軽減するすべり止め付き乳幼児抱っこ用手袋を提供する。【解決手段】    指先を開口した肘までの手袋にすべり止めのあて布を貼り付け、抱っこの際身体にかかる負担を負担を軽減することを特徴とするすべり止め付き乳幼児抱っこ用手袋。【選択図】図１
2009263836.tif 000002
【特許請求の範囲】
【請求項１】
肘までの手袋の指先部分を開口し、乳幼児を抱きかかえる際に接触する部分にすべり止め布を貼りつけたことを特徴とするすべり止め付き乳幼児抱っこ用手袋。
【発明の詳細な説明】
【技術分野】
【０００１】  本発明は長時間乳幼児を抱く時に、抱く側にも抱かれる側にもかかる身体の負担を軽減する、すべり止め付き乳幼児抱っこ用手袋に関するものである。
【背景技術】
【０００２】  従来長時間乳幼児を抱く時は、その重さから抱く側の腕や肩など身体への負担がかかり苦痛をしいられている。また抱かれる乳幼児が動いたりするとすべり落ちそうになり度々抱き直したり、抱く腕を代えたりしている。
なお乳幼児の抱っこの際には紐や大判の布を用いるものが多く知られている（特許文献１，２）。
【特許文献１】  特許公開２００６−１８７３７２号公報
【特許文献２】  特許公開２００７−１１１０８２号公報
【発明の開示】
【発明が解決しようとする課題】
【０００３】  従来より次のような問題点があった。
（イ）乳幼児を素手で抱く場合、長時間になると腕や肩が疲れすべり落ちそうになり、何度も抱き直していた。
（ロ）従来有る抱っこ用バンド等は、乳幼児の成長に伴い窮屈で使用が困難になり、また着脱に手間がかかる。
（ハ）乳幼児用の衣類のおしりの部分にすべり止めが付いたものが有るが、全てのものがそうで有るわけではない。
（ニ）すべり止め付き手袋としては作業用やスポーツ用等が多く知られているが、本来の使用目的は異なっている。
本発明は以上の問題点を解決しようとするものである。
【課題を解決するための手段】
【０００４】  肘までの手袋の指先部分を開口し、乳幼児を抱きかかえる際に接触する部分にすべり止めの布を貼り付ける。以上を特徴とするすべり止め付き乳幼児抱っこ用手袋である。
【発明の効果】
【０００５】  本発明は、乳幼児を抱きかかえる時に発生するすべり落ちを少なくする。したがって、抱く側も抱かれる側も、身体にかかる負担が軽減され快適である。
また、指先を開ける事により、細かい作業（荷物や財布のお金の出し入れ等）の時も取り外さず行える。手袋の素材を変えたり、すべり止め部分の模様を文字や図柄にする事により機能性に加えファッション性にも優れ、子育てが楽しくなり、男女を問わず手軽に使う事が出来る。
【発明を実施するための最良の形態】
【０００６】以下、本発明の実施の形態を説明する。
（イ）布製の肘までの手袋の指先部分を開口する。
（ロ）乳幼児を抱きかかえる際に接触する手袋の内側部分（２）に、すべり止めの布（５）を貼り付ける。
本発明は、以上の構成よりなっている。
本発明を使用する時は、左右の手袋を肘まではめる。この時すべり止めの部分が乳幼児の身体と接触する様にする。この結果、抱きかかえられる乳幼児がすべり落ちそうになる状況が少なくなり、身体にかかる負担が軽減される。
【図面の簡単な説明】
【０００７】
【図１】本発明の斜視図
【図２】本発明の使用状態を示す斜視図
【符号の説明】
【０００８】１    左腕
２    手袋内側
３    右腕
４    手袋外側
５    すべり止め布
【図１】
2009263836.tif 000003
【図２】
2009263836.tif 000004
(57)【要約】【課題】  ブラジャーパッドの目的を保ちつつ、マイナスイオンの特性と遠赤外線の特性を融合した健康パッドを提供する。【解決手段】  パッドを製法する段階でマイナスイオンを発生する天然鉱石及び遠赤外線を発生する天然鉱石の粉末を、粘着させるための安全な水溶性塗料とで撹拌し、パッド内部のポリエステル全面に塗布し、内外面を木綿布で覆い縫製することを特徴とするマイナスイオンの特性と遠赤外線の特性を融合した健康パッド。【選択図】図１
2009263833.tif 000002
【特許請求の範囲】
【請求項１】
パッドを製法する段階でマイナスイオンを発生する天然鉱石及び遠赤外線を発生する天然鉱石の粉末を、粘着させるための安全な水溶性塗料とで撹拌し、パッド内部のポリエステル全面に塗布し、内外面を木綿布で覆い縫製することを特徴とするマイナスイオンの特性と遠赤外線の特性を融合した健康パッド。
【発明の詳細な説明】
【技術分野】
【０００１】  本発明は、ブラジャーパッド本来の目的を保持しつつ、マイナスイオンが発生する天然鉱石と、遠赤外線が発生する天然鉱石の特性を最大限に生かし、健康な体を維持せんとするマイナスイオンの特性と遠赤外線の特性を融合した健康パッドに関するものである。
【背景技術】
【０００２】  従来、ブラジャーパッドにマイナスイオン及び遠赤外線を放射する布地を縫製加工したパッドはあった（特許文献１参照）。
【特許文献１】実用新案登録第３１１０８５９号
【発明の開示】
【発明が解決しようとする課題】
【０００３】  それには、次のような問題点があった。
（イ）マイナスイオン及び遠赤外線を放射する布地をパッドに縫製加工することにより、    パッドが変形し、ブラジャーパッド本来の円錐型が保てなくなっていた。
（ロ）パッドの内面が均一とならず肌に違和感があった。
本発明は以上の問題点を解決しようとするものである。
【発明が解決するための手段】
【０００４】  パッドを製法する段階でマイナスイオンを発生する天然鉱石及び遠赤外線を発生する天然鉱石の粉末と、粘着させるための安全な水溶性塗料とで撹拌する。それをパッド内部のポリエステル全面に塗布する。その乾き具合によって内外面を木綿布で覆い縫製する。
以上を特徴とするマイナスイオンの特性と遠赤外線の特性を融合した健康パッドである。
【発明の効果】
【０００５】  ブラジャーパッド本来の目的を保持しつつ、人体が家電等からなる電磁波よりのプラスイオンによって電子が奪われ、血液が酸化し酸性血液になりがちな環境において、マイナスイオンの還元効果により赤血球が反発しあいサラサラ血液となる。更には肺でのガス交換や約６０兆個といわれる細胞でのイオン交換にも多くの効果をもたらす。
遠赤外線は血管を拡張させ、血流を活発にし、血流が良くなることにより人体の隅々に酸素及び栄養素が届けられ、他方新陳代謝による老廃物や燃えカスである炭酸ガスの排出がスムーズに行われる。
マイナスイオン効果も素晴らしく、遠赤外線効果も素晴らしいといえども、これらの相乗効果のもたらす人体への影響力は偉大なものである。
【発明を実施するための最良の形態】
【０００６】  以下、本発明の実施の形態について説明する。
（イ）本来のブラジャーパッド製作と同様に布地を要求サイズに切断する。
（ロ）縫製に先駆けて（３）の外側、（５）の内側にマイナスイオン発生鉱石の粉末と遠      赤外線発生鉱石の粉末とを撹拌し、粘着させるための水溶性塗料を適度に配合し撹      拌し塗布する。
（ハ）粘着のための適度の乾きを確認し、（３）と（５）の塗布面を合わせ一体化する。
（ニ）その後、内側には（２）及び外側には（６）を密着させ、ところどころに仮り縫い      を行い、自然乾燥を行う。
（ホ）完全に乾燥したことを確認し、ミシンで縫製（７）することにより製品が出来上が      る。本発明は、以上の構成によりなっている。
使用法は従来と変わりなく、ブラジャー内部に取り付ける。
【図面の簡単な説明】
【０００７】
【図１】  本発明の斜視図である
【図２】  本発明の断面図である
【符号の説明】
【０００８】      １  本体
２  内側木綿布
３  ポリエステル
４  マイナスイオンと遠赤外線発生の鉱石粉末
５  ポリエステル
６  外側木綿布
７  縫製
【図１】
2009263833.tif 000003
【図２】
2009263833.tif 000004
(57)【要約】【課題】  ファッション性の観点から少し物足りなさがあったことを解消する飾り付けまつげを提供する。【解決手段】  付けまつげ（１）に飾りボンボン（２）を取り付けたファッション性のある飾りつきまつげを特徴とする。【選択図】図１
2009263834.tif 000002
【特許請求の範囲】
【請求項１】
付けまつげ（１）に飾りボンボン（２）を取り付けてセットした飾り付き付けまつげ。
以上の構成よりなる付けまつげに飾りボンボンを取り付けたファッション性のある飾り付けまつげ。
【発明の詳細な説明】
【技術分野】
【０００１】この発明は、付けまつげに飾りボンボンを取り付けたファッション性のある飾り付きまつげに関するものである。
【背景技術】
【０００２】従来の付けまつげは、付けたときのファッション性（かわいらしさ）等がなかった。
【発明の開示】
【発明が解決しようとする課題】
【０００３】これは次のような欠点があった。
従来はファッション性の関点から少し物足りなさがあった。以上のような欠点をなくすためになされたものである。
【課題を解決するための手段】
【０００４】付けまつげ（１）に飾りボンボン（２）を取り付ける。
本発明は、以上の構成よりなるファッション性のある飾り付き付けまつげである。
【発明の効果】
【０００５】付けまつげに飾りボンボンを付けることによってよりファッション性が高まり、付けまつげを付けた時のかわいらしさが増し、目元が愛らしくなる。尚、ファッション性からも目を引くと思われる。
特に冬は目を引く事になると思われる。
【発明を実施するための最良の形態】
【０００６】以下、本発明を実施するための最良の形態について説明する。
付けまつげ（１）に飾りボンボン（２）を付ける。
本発明は、以上のような構造で、これを使用する時は、今まで以上に目元が愛らしくなる。
【図面の簡単な説明】
【０００７】
【図１】  本発明の分解図である。
【図２】  本発明の完成図である。
【符号の説明】
【０００８】  １  付けまつげ
２  飾りボンボン
【図１】
2009263834.tif 000003
【図２】
2009263834.tif 000004
(57)【要約】【課題】ホツパとスクリューコンベヤを組み合わせ、オーバーフローした粉体の処理において、廃棄、回収の切り替え制御を必要としない。さらにホッパ上限に、満検出用レベル計の設置を必要としない。加えてホッパ高さを低く抑える事が出来る装置を提供する。【解決手段】ホッパ上端に常時正転排出機能を有するスクリューコンベアがあり、ホッパ下部に定量切り出し機能を有するロータリーバルブがあることを特徴とする装置に関する発明。【選択図】図1
2009263063.tif 000002
【特許請求の範囲】
【請求項１】
ホツパとスクリューコンベヤを組み合わせ、連続的に−定量を廃棄しながら、オーバーフローした粉体を処理する装置において、
前記ホッパ上端に常時正転排出機能を有するスクリューコンベアを備え、
前記ホッパ下部に定量切り出し機能を有するロータリーバルブを備えたことを特徴とするオーバーフローした粉体を処理する装置。
【請求項２】
ホツパとスクリューコンベヤを組み合わせ、連続的に−定量を廃棄しながら、オーバーフローした粉体を処理する装置において、
ホッパ上端のスクリューコンベアから常時正転排出し、ホッパ下部のロータリーバルブから定量切り出しすることを特徴とするオーバーフローした粉体を処理する方法。
【発明の詳細な説明】
【技術分野】
【０００１】
本発明は一時的に粉体を貯蔵しながら連続定量切り出しを行う装置とその運転方法に関する。
【背景技術】
【０００２】
穀物・セメント・石炭など粒状のものを一時的に貯蔵し、必要に応じて流下（下に落とす）させるための漏斗型つまり、じょうご状の装置であるホッパが使用されている。
従来、図２に示す様に、ホッパ下端に、正逆転スクリューコンベヤを配置する事により、正転時と逆転時で、たとえば、回収、又は、廃棄と言うように、送り先を切り換える事は可能であった。(特許文献１、2参照)。
【０００３】
【特許文献１】特開平１１−４８０７９公報
【特許文献２】特許3494086公報
【発明の開示】
【発明が解決しようとする課題】
【０００４】
しかしながら、上記構造の場合、ホッパ上限に、満検出用レベル計（14）を配置し、通常運転時は、正転により、適量を廃棄〈回収〉し、満検出時は、逆転に切り換え、ホッパ内を空とするためには、急速に回収（廃棄）する制御を必要とした。
また、正転時は正転側へのみ、逆転時は逆転側へのみ、搬送可能であり、正転側、逆転側、両方向に同時に搬送する事が出来ない問題があった。
さらに、ホッパ下端に、正逆転スクリューコンベヤを配置する構成のため、下流側移換装置との取り合いにより、ホッパを高い位置に配置する必要があり、設備全体が高くなる(頃向があった。
【０００５】
そこで、本発明は、叙上の事情に鑑み、ホツパとスクリューコンベヤを組み合わせ、
連続的に廃棄（回収）しながら、オーバーフローした粉体を処理（回収・廃棄）する事を目的とする。
【課題を解決するための手段】
【０００６】
本発明の装置は、ホツパとスクリューコンベヤを組み合わせ、オーバーフローした粉体を処理する装置において、ホッパ上端に常時正転排出機能を有するスクリューコンベアがあり、ホッパ下部に定量切り出し機能を有するロータリーバルブがあることを特徴としている。
【発明の効果】
【０００７】
本発明によれば、連続的に−定量を廃棄（回収）しながら、オーバーフロー分のみを回収（廃棄）する事ができる。そのため、廃棄、回収の切り替え制御を必要としない。さらにホッパ上限に、満検出用レベル計の設置を必要としない。加えてホッパ高さを低く抑える事が出来る。
【発明を実施するための最良の形態】
【０００８】
ホツパとスクリューコンベヤを組み合わせ、連続的に−定量を廃棄しながら、オーバーフローした粉体を処理する装置において、前記ホッパ上端に常時正転排出機能を有するスクリューコンベアを備え、前記ホッパ下部に定量切り出し機能を有するロータリーバルブを備えたことを特徴とする。
前記、ホツパとスクリューコンベヤを組み合わせ、連続的に−定量を廃棄しながら、オーバーフローした粉体を処理する装置において、ホッパ上端のスクリューコンベアから常時正転排出し、ホッパ下部のロータリーバルブから定量切り出しすることを特徴とする。
【実施例】
【０００９】
つぎに本発明の実施例を説明するが、本発明はかかる実施例に限定されるものではない。
本発明の一実施の形態にかかわるホッパからの回収（廃棄）装置は、図１に示されるように、ホッパ（１）上限端位置に、ホッパ（１）を貫通して、スクリューコンベヤ（２）を配置する。スクリューコンベヤ（２）は、ホツパ（１）内側部分に、外部ケーシング（３）を有せず、回転するスクリュー（４）のみをむき出しとする。スクリュー（４）は、ローラチエイン（５）を介して、減速モータ（６）で回転する。スクリューコンベヤ〈２）は常時、正転方向のみの連続運転を行う。
ホツパ（１）に投入される粉体（７）は、基本的にホツパ（１）下部に接続されているロータリーバルブ（８）を介して．ベルトコンベヤ（９）に廃棄（または回収）される。ベルトコンベヤ（９）に廃棄（または回収）される粉体（７）の量は、定量切り出し機能を有するロータリーバルブ（８）で一定量に制御される。
ロータリーバルブ（８）は、ローラチエイン（１０）を介して、図示しないインバータで制御する減速モータ（１１）で回転するため、−定量切り出す粉体（７）の量は、任意に変更できる。
ホッパ（１）に投入される粉体（７）の量が、所定の設定量以上に増加した場合、ホッパ（１）に滞留する粉体（７）の量が次第に増加し、ホッパ（１）を貫通して上限位置に設置したスクリューコンベヤ（２）の回転するスクリュー（４）に接する状態となる。
回転するスクリュー（４）に接した粉体（７）は、外部ケーシング（３）の内部を通り、ベルトコンベヤ（１２）に回収（または廃棄）されるため、既存技術の正逆転スクリューコンベヤ（１３）、満検出用レベル計（１４）を用いて、正逆転切り替え制御を用いなくても、ホッパ（１）から粉体（７）があふれる事は無い。
スクリューコンベアの回転数22ｒｐｍ、処理量40L/minの装置において、本方式を採用することにより従来方式に比較して約1.3ｍの高さ低減が実現できた。
【図面の簡単な説明】
【００１０】
【図１】上端にスクリューコンベヤを配置した、本発明のホッパの正面図である。
【図２】下端に正逆転スクリューコンベヤを配置した、従来発明のホッパの正面図である。
【符号の説明】
【００１１】
１      ホッパ
２      スクリューコンベヤ
３      外部ケーシング
４      スクリュー
５      ローラチェイン
６      減速モータ
７      粉体
８      ロータリーバルブ
９      ベルトコンベヤ
１０    ローラチェイン
１１    減速モータ
１２    ベルトコンベヤ
１３    正逆転スクリューコンベヤ
１４    満検出用レベル計
【図１】
2009263063.tif 000003
【図２】
2009263063.tif 000004
(57)【要約】      （修正有）【課題】工場で使う一般的な天井クレーンの方式を一般的日本家屋の部屋で利用して、歩行困難なお年寄り、または、体の不自由な人の生活補助や介護用として利用しようとするものであり、天井クレーン全体の軽量化、クレーンの高所格納、広範囲移動を実現する。【解決手段】一般的な天井クレーンに採用されているサドル２をガーダ１の側面に変更することによりガーダ１＋サドル２の上下の幅を薄くすることができるので、その分クレーンの格納場所も高所に設定でき、軽くもなる。【選択図】図１
2009263022.tif 000002
【特許請求の範囲】
【請求項１】
縦横に走行できる天井クレーンの左右のサドルを繋ぐガーダを側面だけに取り付けたことを特徴とするクレーン。
【請求項２】
全体を100Vの電気で走行等、東西南北上下と電気照明が移動出来ることを特徴とする請求項1記載のクレーン。
【発明の詳細な説明】
【技術分野】
【０００１】
本発明は従来、工場などで使用しているホイストクレーンを家屋に設置して日常の生活介護に利用する機能に関する。
【背景技術】
【０００２】
従来よりお年寄りや病人など、体の不自由な人には生活補助としてまた介護用としてリフトやクレーンを利用した補助機械がある、例えば一般的日本家屋に設置するためにできるだけ高い所に格納できるように工夫されたもの(特開2004-089427)、またレールごと天井に取り付けたもの(特開2001-212187)などがある。
【特許文献１】特開2004-089427号広報
【特許文献２】特開2001-212187号広報
【発明の開示】
【発明が解決しようとする課題】
【０００３】
しかしながら、上記のものは確かに高い所に格納できるため健常者である介護人にかかる負担は減り便利であるが、非介護人には高い所へ行けても何の利益もない、非介護人にとっては限定的である横の動きから解放されることこそが最大の利益といえる。
【課題を解決するための手段】
【０００４】
本発明は、上記した課題を解決するために請求項１に示すように一般的には工場などで使われるホイストクレーンを介護に使おうとするものである、重いものを運ぶのが目的である工場と違い、本発明の目的は限られた部屋の中で出来るだけ高い所にクレーン本体を格納できることと自由な動きである、そのために極力軽量にすることはもちろんであるが、天井付近を縦横に移動するクレーン本体それを、支えるガーダの取り付け位置をサドルの真横に配置したことを特徴としたものである、これにより少なくとも従来上あるいは下に付いていたＨ鋼などの分だけはクレーン本体の格納位置を上にあげることができる。
【発明の効果】
【０００５】
本発明は、一般的には人力では不可能な作業に使う機械を大変ではあるが人力でも何とかできる介護作業に使い、介護人の負担を軽減し、非介護人には快適な日常生活を提供するものである、すなわち天井クレーンのガーダの取り付け位置を工場などで使う重量物用天井クレーンのようにサドルの上、あるいは下に付けるのではなく、側面に取り付けるためサドル下面からガーダ上面の寸法(高さ)を小さくすることができる、結果その分クレーン本体の収納位置は高くできるので介護人は頭などをぶつける心配が軽減される、さらに縦横どこにでも運べるクレーンを使い作業も楽になる、運ぶものが軽量なため強固な構造は必要なく、材料も軽量なものですむため地震被害の心配も少なく、費用負担も少なくて済む。
【発明を実施するための最良の形態】
【０００６】
本発明のクレーン構造を説明する、図1に示すように従来の工場などで使用するクレーンはにはレールの下に敷く天井クレーンの基礎ともいうべきＨ鋼を設置しているが本発明図2では必要としない、さらに図1でサドル2の上に乗っているガータ1をサドル2の側面に取り付ける事により一段と薄型にした。
【０００７】
以下図面を使って本発明を説明する、従来は図のように柱8に金具7を取り付けてその上にＨ型鋼９を部屋の両側面に取り付け、その上にレール5を設置、サドル2を両上面に走行させるようにし、サドルの上にガータのＩビームを部屋の広さに合った長さに合わせ設置、Ｉビームにトロリー3を横行これにリフト6を取り付けて非介護人を上下させる様式になっていたがこれでは日本式木造家屋には天井が低く高い構造では取り付けられないので図2のように柱8に金具5を取り付けた上に直接レール5を取り付けた上サドル2を走行させた構造で又サドル2の横部にガータ1を取付大幅に高さを削減して普通日本家屋に使用できるようにし出入口に、棚押入れ等に支障のない新型天井走行クレーンである。
【図面の簡単な説明】
【０００８】
【図１】本発明以前に一般的工場等で使用の従来の天井クレーンの正面図である。
【図２】本発明の天井クレーンの正面図である。
【図３】本発明以前に一般的工場等で使用の従来の天井クレーンの全体図である。
【図４】本発明の天井クレーンの全体図である。
【符号の説明】
【０００９】
１  ガータ
２  サドル
３  トロリ
４  走行モーター
５  レール
６  上下リフト
７  柱取付金具
８  柱
９  Ｈ鋼
１０  天井
１１  出入口
【図１】
2009263022.tif 000003
【図２】
2009263022.tif 000004
【図３】
2009263022.tif 000005
【図４】
2009263022.tif 000006